【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
リチウム塩と、溶媒と、及び添加剤とを含んでなる非水電解液であって、
負極にＳＥＩ層（保護層）を形成する添加剤として、下記の化学式１で表される化合物又はその分解産物を電解液中に１重量％〜１０重量％と、及び
正極に錯体を形成する添加剤として、脂肪族モノニトリル化合物を電解液中に１重量％〜４０重量％とを含んでなり、
前記リチウム塩は、ＬｉＣｌＯ４、ＬｉＣＦ３ＳＯ３、ＬｉＰＦ６、ＬｉＢＦ４、ＬｉＡｓＦ６、ＬｉＳｂＦ６、ＬｉＮ（ＣＦ３ＳＯ２）２、ＬｉＮ（Ｃ２Ｆ５ＳＯ２）２、ＬｉＡｌＯ４、ＬｉＡｌＣｌ４、ＬｉＳＯ３ＣＦ３及びＬｉＮ（ＣｘＦ２ｘ＋１ＳＯ２）（ＣｙＦ２ｙ＋１ＳＯ２）（左記の化学式において、ｘ及びｙは自然数である。）から選択される、
非水電解液。
【化１】
2015228374.tif 000001
［前記式中、
Ｘ、Ｙはそれぞれ独立的に水素、塩素又はフッ素であり、
Ｘ及びＹが全部水素である場合は除く。］
【請求項２】
前記脂肪族モノニトリル化合物が、下記の化学式２で表されることを特徴とする、
請求項１に記載の非水電解液。
Ｎ≡Ｃ−Ｒ …  化学式２
［前記式中、
Ｒは（ＣＨ２）ｎ−ＣＨ３であり、
ｎ＝１〜１１の整数である。］
【請求項３】
前記脂肪族モノニトリル化合物が、ブチロニトリル、バレロニトリル、プロピオニトリル又はこれらの混合物であることを特徴とする、
請求項１又は２に記載の非水電解液。
【請求項４】
前記溶媒が、
エチレンカーボネート（ＥＣ）、プロピレンカーボネート（ＰＣ）及びγ−ブチロラクトン（ＧＢＬ）からなる群より１種以上選ばれる環状カーボネート；
ジエチルカーボネート（ＤＥＣ）、ジメチルカーボネート（ＤＭＣ）、エチルメチルカーボネート（ＥＭＣ）及びメチルプロピルカーボネート（ＭＰＣ）からなる群より１種以上選ばれる鎖状カーボネート；又は、
前記環状カーボネート及び鎖状カーボネートの全部、
を含むことを特徴とする、
請求項１〜３の何れか一項に記載の非水電解液。
【請求項５】
脂肪族ジニトリル化合物を添加剤としてさらに含んでなることを特徴とする、
請求項１〜４の何れか一項に記載の非水電解液。
【請求項６】
負極表面上に不動態膜を形成できる化合物をさらに含んでなり、
前記化合物が、アルキレン化合物、Ｓ系化合物及びラクタム系化合物からなる群より選ばれたものであることを特徴とする、
請求項１〜５の何れか一項に記載の非水電解液。
【請求項７】
正極と、負極と、及び、
請求項１〜６の何れか一項に記載の非水電解液を備えてなることを特徴とする、
電気化学素子。
【請求項８】
正極活物質の表面と脂肪族モノニトリル化合物との間に形成された複合体を有する正極と、
負極にＳＥＩ層（保護層）を形成する添加剤として、下記の化学式１で表される化合物又はその分解産物を電解液中に１重量％〜１０重量％含有する非水電解液と、
を備えてなり、
前記脂肪族モノニトリル化合物は、正極に錯体を形成する添加剤であり、
前記正極活物質は、ＬｉＣｏＯ２、ＬｉＮｉＯ２、ＬｉＭｎ２Ｏ４、ＬｉＭｎＯ２及びＬｉＮｉ１−ｘＣｏｘＭｙＯ２(ここで、０≦ｘ≦１、０≦ｙ≦１、０≦ｘ＋ｙ≦１であり、Ｍは金属である。）からなる群より選択される１種以上である、
電気化学素子。
【化２】
2015228374.tif 000002
［前記式中、
Ｘ、Ｙはそれぞれ独立的に水素、塩素又はフッ素であり、
Ｘ及びＹが全部水素である場合は除く。］
【請求項９】
前記脂肪族モノニトリル化合物が、下記の化学式２で表されることを特徴とする、
請求項８に記載の電気化学素子。
Ｎ≡Ｃ−Ｒ    …  化学式２
［前記式中、
Ｒは(ＣＨ２)ｎ−ＣＨ３であり、
ｎ＝１〜１１の整数である。］
【請求項１０】
前記正極活物質の表面と前記脂肪族モノニトリル化合物との間に形成された複合体が、
前記脂肪族モノニトリル化合物が添加された電解液から製造された電気化学素子を高温処理して形成され、或いは、
前記脂肪族モノニトリル化合物が添加された電解液に、集電体上に正極活物質が塗布された正極を浸漬した後に、高温処理して形成されることを特徴とする、
請求項８又は９に記載の電気化学素子。
【請求項１１】
前記高温処理が、電気化学素子の組立前、又は、電気化学素子の組立後、３０℃以上の温度で行われることを特徴とする、
請求項１０に記載の電気化学素子。
【請求項１２】
前記脂肪族モノニトリル化合物が、ブチロニトリル、バレロニトリル、プロピオニトリル又はこれらの混合物であることを特徴とする、
請求項８〜１１の何れか一項に記載の電気化学素子。
【請求項１３】
前記化学式１で表される化合物又はその分解産物、及び、前記脂肪族モノニトリル化合物の添加比は、重量比で１：１〜１：５であることを特徴とする、
請求項８〜１１の何れか一項に記載の電気化学素子。
【請求項１４】
リチウム二次電池の製造方法であって、
リチウム塩と、溶媒と、脂肪族モノニトリルを含む添加剤とを含んでなる非水電解液を製造する段階と、
正極活物質が集電体上に塗布された正極を、前記非水電解液に浸漬する段階と、
前記正極が浸漬された非水電解液を、３０〜１００℃の温度で高温処理し、前記正極活物質の表面と脂肪族モノニトリル化合物との間に錯体を形成する段階と、
を含み、
前記脂肪族モノニトリルは、ブチロニトリル、バレロニトリル、プロピオニトリル及びこれらの混合物の中から選ばれる、
リチウム二次電池の製造方法。
【請求項１５】
前記リチウム塩は、ＬｉＣｌＯ４、ＬｉＣＦ３ＳＯ３、ＬｉＰＦ６、ＬｉＢＦ４、ＬｉＡｓＦ６、ＬｉＳｂＦ６、ＬｉＮ（ＣＦ３ＳＯ２）２、ＬｉＮ（Ｃ２Ｆ５ＳＯ２）２、ＬｉＡｌＯ４、ＬｉＡｌＣｌ４、ＬｉＳＯ３ＣＦ３及びＬｉＮ（ＣｘＦ２ｘ＋１ＳＯ２）（ＣｙＦ２ｙ＋１ＳＯ２）（左記の化学式において、ｘ及びｙは自然数である。）から選択される、
請求項１４に記載のリチウム二次電池の製造方法。
【請求項１６】
前記非水電解液を製造する段階は、脂肪族ジニトリル化合物をさらに添加して、前記非水電解液を製造する段階を有し、
請求項１４又は請求子１５に記載のリチウム二次電池の製造方法。
【請求項１７】
前記非水電解液を製造する段階は、負極表面上に不動態膜を形成できる化合物をさらに添加して、前記非水電解液を製造する段階を有し、
前記化合物は、アルキレン化合物、Ｓ系化合物及びラクタム系化合物からなる群より選ばれたものであることを特徴とする、
請求項１４から請求項１６の何れか一項に記載のリチウム二次電池の製造方法。
【請求項１８】
前記非水電解液を製造する段階は、下記の化学式１で表される化合物又はその分解産物をさらに添加して、前記非水電解液を製造する段階を有する、
請求項１４から請求項１７の何れか一項に記載のリチウム二次電池の製造方法。
【化３】
2015228374.tif 000003
［前記式中、
Ｘ、Ｙはそれぞれ独立的に水素、塩素又はフッ素であり、
Ｘ及びＹが全部水素である場合は除く。］
【請求項１９】
下記の化学式１で表される化合物又はその分解産物は、前記非水電解液中に１重量％〜１０重量％含まれ、
前記脂肪族モノニトリル化合物は、前記電解液中に１重量％〜４０重量％含まれる、
請求項１８に記載のリチウム二次電池の製造方法。
【請求項２０】
前記化学式１で表される化合物又はその分解産物、及び、前記脂肪族モノニトリル化合物の添加比は、重量比で１：１〜１：５であることを特徴とする、
請求項１８又は請求項１９に記載のリチウム二次電池の製造方法。